(57)【要約】【課題】カップホルダ本体の幅寸法を充分に小さくすることができるようにする。【解決手段】カップホルダ本体４を、狭幅形状にすると共に、部分円弧状切欠部７を、中心角が１８０度程度以下の短円弧形状とし、底部支持機構部２１を、下降時に、底板２２を円形状空間の中心位置へと横変位可能な横変位機構４５を介して、カップホルダ本体４に取付けるなどしている。【選択図】図３
2008143500.tif 000002
【特許請求の範囲】
【請求項１】
車体に対して突出収納可能なカップホルダ本体を設けると共に、該カップホルダ本体の先端側の側面に、飲料容器を収容可能な大きさの円形状空間の一部を構成して、飲料容器の側部を部分的に保持可能な部分円弧状切欠部を形成し、
前記カップホルダ本体に対して側方へ拡縮動可能な側部支持機構部を設けると共に、該側部支持機構部が、部分円弧状切欠部と対応する位置に、前記円形状空間の他の部分を構成して、飲料容器の側部の他の部分を部分的に保持可能な部分円弧状容器保持部を有し、
更に、前記カップホルダ本体に対して下側で昇降動可能な底部支持機構部を設けると共に、該底部支持機構部が飲料容器の底部を支持可能な底板を有するカップホルダ装置において、
前記カップホルダ本体を、狭幅形状にすると共に、
前記部分円弧状切欠部を、中心角が１８０度程度以下の短円弧形状とし、
前記底部支持機構部を、横変移機構を介して、下降時に、底板が前記円形状空間の中心位置へと横変位され得るように、前記カップホルダ本体に取付けたことを特徴とするカップホルダ装置。
【請求項２】
前記横変位機構が、自重を利用して底板を横変位させる傾斜面部を備えたことを特徴とする請求項１記載のカップホルダ装置。
【請求項３】
前記横変位機構が、付勢力を利用して底板を横変位させる付勢部材を備えたことを特徴とする請求項１記載のカップホルダ装置。
【請求項４】
前記カップホルダ本体の先端側部から側方へ向けて出入可能な手前部分支持機構部を設けると共に、該手前部分支持機構部が、カップホルダ本体に対して円形状空間の残りの部分の少なくとも一部を構成して、飲料容器の側部の残りの部分の少なくとも一部を部分的に保持可能なフロントバー部材を備えたことを特徴とする請求項１ないし３のいずれか１項に記載のカップホルダ装置。
【請求項５】
前記フロントバー部材が、円形状空間に沿った部分円弧状容器手前側保持部を有すると共に、側部支持機構部とフロントバー部材とが、連結部材を用いて連結されたことを特徴とする請求項４記載のカップホルダ装置。
【発明の詳細な説明】
【技術分野】
【０００１】
この発明は、カップホルダ装置に関するものである。
【背景技術】
【０００２】
自動車などの車両には、車室内にカップホルダ装置が備え付けられている。このカップホルダ装置のなかには、引出式のものがある（例えば、特許文献１参照）。引出式のカップホルダ装置は、例えば、以下のようなものである。
【０００３】
即ち、車体に対して突出収納可能なカップホルダ本体が設けられる。このカップホルダ本体に対し、飲料容器を収容可能な大きさの円形状空間（飲料容器保持用穴部）が形成される。更に、カップホルダ本体に対して下側で昇降動可能な底部支持機構部が設けられる。この底部支持機構部は、下降時に、飲料容器の底部を支持可能な底部支持部を有している。
【０００４】
しかし、このような引出式のカップホルダ装置では、カップホルダ本体に円形状空間の全部を形成していたため、カップホルダ本体が広幅形状となっていた。
【０００５】
そこで、カップホルダ本体の幅寸法を狭くするために、カップホルダ本体の先端側の側面に、飲料容器を収容可能な大きさの円形状空間の一部を構成して、飲料容器の側部を部分的に保持可能な部分円弧状切欠部を形成すると共に、カップホルダ本体に対して側方へ拡縮動可能な側部支持機構部を設けて、この側部支持機構部が、部分円弧状切欠部と対応する位置に、円形状空間の他の部分を構成して、飲料容器の側部の他の部分を部分的に保持可能な部分円弧状容器保持部を有するようにしたものが存在している。
【０００６】
このような構造とすることにより、カップホルダ本体の幅寸法を若干狭くすることができる共とに、側部支持機構部を側方へ拡げることにより、カップホルダ装置の幅寸法を拡張させて飲料容器を収納することが可能となる。
【特許文献１】特開平７−２９１０１２号公報
【発明の開示】
【発明が解決しようとする課題】
【０００７】
しかしながら、上記カップホルダ装置では、カップホルダ本体の部分円弧状切欠部が、その内側領域に円形状空間の中心を含む、中心角が１８０度以上の長円弧形状とされていたため（通常の場合、中心角は２７０度程度に設定されている）、カップホルダ本体の幅寸法を狭くするのには限界があった。そのため、カップホルダ装置の設置場所が限られてしまい、設計上の制約が生じていた。
【課題を解決するための手段】
【０００８】
上記課題を解決するために、請求項１に記載された発明では、車体に対して突出収納可能なカップホルダ本体を設けると共に、該カップホルダ本体の先端側の側面に、飲料容器を収容可能な大きさの円形状空間の一部を構成して、飲料容器の側部を部分的に保持可能な部分円弧状切欠部を形成し、前記カップホルダ本体に対して側方へ拡縮動可能な側部支持機構部を設けると共に、該側部支持機構部が、部分円弧状切欠部と対応する位置に、前記円形状空間の他の部分を構成して、飲料容器の側部の他の部分を部分的に保持可能な部分円弧状容器保持部を有し、更に、前記カップホルダ本体に対して下側で昇降動可能な底部支持機構部を設けると共に、該底部支持機構部が飲料容器の底部を支持可能な底板を有するカップホルダ装置において、前記カップホルダ本体を、狭幅形状にすると共に、前記部分円弧状切欠部を、中心角が１８０度程度以下の短円弧形状とし、前記底部支持機構部を、横変移機構を介して、下降時に、底板が前記円形状空間の中心位置へと横変位され得るように、前記カップホルダ本体に取付けたことを特徴としている。
【０００９】
請求項２に記載された発明では、前記横変位機構が、自重を利用して底板を横変位させる傾斜面部を備えたことを特徴としている。
【００１０】
請求項３に記載された発明では、前記横変位機構が、付勢力を利用して底板を横変位させる付勢部材を備えたことを特徴としている。
【００１１】
請求項４に記載された発明では、前記カップホルダ本体の先端側部から側方へ向けて出入可能な手前部分支持機構部を設けると共に、該手前部分支持機構部が、カップホルダ本体に対して円形状空間の残りの部分の少なくとも一部を構成して、飲料容器の側部の残りの部分の少なくとも一部を部分的に保持可能なフロントバー部材を備えたことを特徴としている。
【００１２】
請求項５に記載された発明では、前記フロントバー部材が、円形状空間に沿った部分円弧状容器手前側保持部を有すると共に、側部支持機構部とフロントバー部材とが、連結部材を用いて連結されたことを特徴としている。
【発明の効果】
【００１３】
請求項１の発明によれば、前記カップホルダ本体を、狭幅形状にすると共に、前記部分円弧状切欠部を、中心角が１８０度程度以下の短円弧形状とし、前記底部支持機構部を、横変移機構を介して、下降時に、底板が前記円形状空間の中心位置へと横変位され得るように、前記カップホルダ本体に取付けたことにより、飲料容器に対する保持性能を損なわずに、カップホルダ本体の幅寸法をこれまでの限界を越えて極く小さなものとすることが可能となる。これにより、カップホルダ装置の設置場所に対する制限をなくして、設計上の制約を取払うことが可能となる。
【００１４】
請求項２の発明によれば、前記横変位機構が、自重を利用して底板を横変位させる傾斜面部を備えたことにより、自重を利用して底板を傾斜面部に沿い自動的に横変位させることができる。
【００１５】
請求項３の発明によれば、前記横変位機構が、付勢力を利用して底板を横変位させる付勢部材を備えたことにより、付勢部材の付勢力を利用して底板を自動的に横変位させることができる。
【００１６】
請求項４の発明によれば、前記カップホルダ本体の先端側部から側方へ向けて出入可能な手前部分支持機構部を設けると共に、該手前部分支持機構部が、カップホルダ本体に対して円形状空間の残りの部分の少なくとも一部を構成して、飲料容器の側部の残りの部分の少なくとも一部を部分的に保持可能なフロントバー部材を備えたことにより、円形状空間の手前側の開いた部分をフロントバー部材でカバーすることができるようになるので、飲料容器の側部に対する保持の安定性を向上することが可能となる、また、フロントバー部材によって、指先衝突などによる飲料容器の落下を防止することが可能となる。
【００１７】
請求項５の発明によれば、前記フロントバー部材が、円形状空間に沿った部分円弧状容器手前側保持部を有すると共に、側部支持機構部とフロントバー部材とが、連結部材を用いて連結されたことにより、円形状空間を環状（閉ループ状）に取囲むようにすることができるようになるので、飲料容器の側部に対する保持の安定性をより一層向上することが可能となると共に、指先衝突などによる飲料容器の落下をより確実に防止することができる。
【発明を実施するための最良の形態】
【００１８】
以下、本発明を具体化した実施例について、図示例と共に説明する。
【実施例１】
【００１９】
図１〜１１は、この発明の実施例、図１２〜図１６はその変形例を示すものである。
【００２０】
まず、構成について、図１〜図５（斜視図）を用いて説明する（主に図１参照のこと）。なお、図６〜図８（平面図）、図９〜図１１（側面図）も、必要に応じて参照のこと。
【００２１】
自動車などの車両における車室内に、引出式のカップホルダ装置１を備え付ける。この引出式のカップホルダ装置１は、以下の構成を備えている。
【００２２】
即ち、車体２に対して、突出収納可能なカップホルダ本体４を設ける。このカップホルダ本体４の先端側の側面に、飲料容器５（図４参照）を収容可能な大きさの円形状空間の一部を構成して、飲料容器５の側部を部分的に保持可能な部分円弧状切欠部７を形成する。
【００２３】
ここで、車体２は、例えば、インストルメントパネルやその他の内装パネルなどとされる。この内装パネルには、カップホルダ本体４を収納するための開口部が形成されている。この開口部は、カップホルダ本体４の横断面形状とほぼ同じかそれよりも若干大きな、ほぼ矩形状のものとされている。カップホルダ本体４は、例えば、ほぼ車両前後方向３へ延びて、内装パネルに対し、ほぼ車両前後方向３へ突出収納可能なものとされる。或いは、カップホルダ本体４は、例えば、ほぼ車両前後方向３へ延びると共に上下方向に湾曲する円弧形状を有して、内装パネルに対し、円弧状に突出収納可能なものとしても良い。カップホルダ本体４の突出収納動作は、手動式としても、自動式としても、付勢手段などを用いた半自動式などとしても良い。通常は、手動式とされる。半自動式などとする場合には、ロック装置やダンパ装置などを設けることもできる。このカップホルダ本体４は、図示しないケーシングやガイド部材を介して、内装パネルの裏面側に取付けられる。カップホルダ本体４の先端部には、この内装パネルに形成された開口部を面一状態で塞ぐ表面化粧部材が設けられている。この表面化粧部材は、通常、内装パネルと統一感のある表面意匠を有している。飲料容器５には、缶飲料（細缶および太缶）や、ペットボトルや、ファーストフード店などで使用されるＬ・Ｍ・Ｓサイズのカップ類などが想定される。また、部分円弧状切欠部７は、カップホルダ本体４における外側の側面などに形成される。例えば、国内向けの場合、部分円弧状切欠部７は、車幅方向を基準として、運転席用の場合には右側面に形成され、助手席用の場合には左側面に形成される。
【００２４】
そして、カップホルダ本体４に対して側方（この場合には、車幅方向）へ拡縮動可能な側部支持機構部１１を設ける。この側部支持機構部１１は、部分円弧状切欠部７と対応する位置に、上記円形状空間の他の部分を構成して、飲料容器５の側部の他の部分を部分的に保持可能な部分円弧状容器保持部１２を有している。
【００２５】
ここで、側部支持機構部１１は、（乗員から見て）手前側に部分円弧状容器保持部１２を有し、奥側に支持腕部１３を有するサイドバー部材１４と、この支持腕部１３をカップホルダ本体４に対して回動可能に軸支する支軸１５とを有している。サイドバー部材１４は、カップホルダ本体４に対して、完全に収納された状態から側方へ出入可能に構成される。そのために、カップホルダ本体４は、サイドバー部材１４を収納可能な中空形状とされると共に、カップホルダ本体４の部分円弧状切欠部７側の側面には、サイドバー部材１４が出入りするための開口部またはスリット部などが形成される。或いは、カップホルダ本体４を、部分円弧状切欠部７側に開いたコ字断面などとする。部分円弧状容器保持部１２は、より大きな円弧形状が確保できるように、収納状態で両端部がカップホルダ本体４の内側面とほぼ接する弧長とされている。これに伴い、支持腕部１３は、所要の長さを確保するために、収納状態でカップホルダ本体４の軸線方向に対し奥側の端部が外側へ向くように斜めに延ばされている。支軸１５は、ほぼ上下方向に延設されて、支持腕部１３の奥側の端部を回動可能に貫通すると共に、その上下端部がカップホルダ本体４の上下面間に支持されている。更に、カップホルダ本体４とサイドバー部材１４との間には、サイドバー部材１４をカップホルダ本体４から出る方向へ付勢する付勢部材１８が介装されるようにしても良い。この付勢部材１８には、例えば、そのコイル部を支軸１５に外嵌され、その両端部をそれぞれカップホルダ本体４とサイドバー部材１４とに対して係止されたトーションスプリングなどが用いられる。また、この側部支持機構部１１に対し、部分円弧状容器保持部１２の最大拡張位置を規制するための図示しないストッパが設けられる。なお、このストッパは、カップホルダ本体４の側面に形成された開口部またはスリットの縁部などを利用しても良い。
【００２６】
更に、カップホルダ本体４に対して下側で昇降動可能な底部支持機構部２１を設ける。この底部支持機構部２１は、飲料容器５の底部を支持可能な底板２２を有している。
【００２７】
ここで、この底板２２は、部分円弧状切欠部７と対応する位置に設けられる。そして、この底板２２からは、奥側へ向けて昇降用腕部２３，２４が延設されている。この昇降用腕部２３，２４の奥側端部がカップホルダ本体４に対して昇降可能となるように（直接的或いは間接的に）軸支されている。この底部支持機構部２１の底板２２および昇降機構は、上昇時に、カップホルダ本体４の内部に完全に収納され得るように構成されている。そのために、カップホルダ本体４の底面の対応する位置には、底部支持機構部２１が出入りするための開口部またはスリット部などが形成されている。上記底板２２と昇降用腕部２３，２４とは、一体に構成しても良いが、ここでは、底板２２を水平状態を保持したまま昇降させ得るようにするために、底板２２と昇降用腕部２３，２４とは分離されて別部材とされている。しかも、昇降用腕部２３，２４はほぼ同じ長さのものが上下２本設けられている。また、昇降用腕部２３，２４の奥側端部と対応する位置には、支持ブロック２５が介在されている。そして、底板２２の奥側端部と、上下２本の昇降用腕部２３，２４の手前側端部との間は、横方向（この場合にはほぼ車幅方向）へ延びる上下の取付軸２６，２７によって上下回動可能に軸着されている。また、上下２本の昇降用腕部２３，２４の奥側端部と、支持ブロック２５との間は、横方向へ延びる上下の取付軸２８，２９によって上下回動可能に軸着されている。これらにより、底板２２を昇降させるための昇降機構が構成されている。そして、これら４本の取付軸は、平行四辺形の頂点の位置に配設されることにより、全体としていわゆる平行四辺形状リンク機構が構成されている。この平行四辺形状リンク機構により、底板２２を、水平状態を保持したまま昇降させることが可能とされる。この昇降機構に対し、底板２２の下限位置を規制するための図示しないストッパが設けられる。なお、このストッパは、カップホルダ本体４の底面に形成された開口部またはスリットの縁部などを利用しても良い。
【００２８】
更にまた、カップホルダ本体４には、部分円弧状切欠部７の部分に、大きさの異なる各種の飲料容器５に対応し得るようにするための可動フラップ機構３１が設けられている。この可動フラップ機構３１は、平面視ほぼ長方形状の平板から成る可動フラップ部材３２を有している。この可動フラップ部材３２は、その長辺をカップホルダ本体４の軸線方向へ向けて配設されている。この際、可動フラップ部材３２は、部分円弧状切欠部７のほぼ中央部に、少なくともその一部がカップホルダ本体４の内部に収容され、残りの部分が部分円弧状切欠部７の内側領域に突出するように配設されている。そして、この可動フラップ部材３２は、カップホルダ本体４の内部に位置する長辺の部分を、カップホルダ本体４の軸線方向へ延びる取付軸部３３を介して、カップホルダ本体４の対応する内側面に対し、ほぼ水平状態から下傾状態へと上下揺動自在に軸支されている。取付軸部３３は、可動フラップ部材３２の側に設けられる場合と、カップホルダ本体４の側に設けられる場合と、別部材として設けられる場合とがある。カップホルダ本体４と可動フラップ部材３２との間には、可動フラップ部材３２を上方へ向けて付勢する付勢部材が介装されている。この付勢部材には、例えば、そのコイル部を取付軸部３３に外嵌され、その両端部をそれぞれカップホルダ本体４と可動フラップ部材３２とに対して係止されたトーションスプリングなどが用いられる。更に、可動フラップ部材３２の部分円弧状切欠部７の内側領域に突出された長辺部分には、飲料容器５の側面形状にほぼ沿い得るようにするための円弧状の湾曲形状部３４が形成されている。
【００２９】
なお、カップホルダ本体４に対し、部分円弧状容器保持部１２、可動フラップ部材３２、底板２２は、上から順に異なる高さで配置されて、支障無く収容され得るように構成されている。
【００３０】
そして、この実施例のものでは、カップホルダ本体４を、狭幅形状にする（狭幅本体４１）。且つ、部分円弧状切欠部７を、中心角が１８０度程度以下の短円弧形状とする（短円弧状切欠部４２）。
【００３１】
ここで、狭幅本体４１の先端側の側面に対して、短円弧状切欠部４２を切欠いた時に残される被切欠部分４３には、所要の強度を持たせるようにする。この被切欠部分４３の最小幅部分の寸法と、短円弧状切欠部４２の最大幅部分の寸法との和が、飲料容器５のほぼ半径（半幅）程度またはそれ以下となるように、狭幅本体４１の幅寸法を設定する。この際の飲料容器５は、想定される最大のものを基準とする。また、飲料容器５の半径は、部分円弧状切欠部７と対応する位置を基準とする。短円弧状切欠部４２の中心角は、本質的には、内側領域に円形状空間の中心を含まない１８０度未満であるが、それ以上であっても構造的に後述する横変位機構４５が必要となる場合があるため、その範囲までをも含めて１８０度程度以下とする。
【００３２】
そして、底部支持機構部２１を、横変位機構４５を介して、下降時に、底板２２が円形状空間の中心位置へと横変位され得るように、カップホルダ本体４に取付ける。
【００３３】
ここで、この横変位機構４５は、カップホルダ本体４に対して、支持ブロック２５を横回動可能に軸支する縦軸部４６を備えている。この縦軸部４６は、ほぼ上下方向に延設されて、支持ブロック２５を回動可能に貫通すると共に、その上下端部がカップホルダ本体４の上下面間に支持される。また、この横変位機構４５は、底板２２を円形状空間の中心位置で停止させるための、特に図示しないストッパを備えている。なお、このストッパは、カップホルダ本体４の底面に形成された開口部またはスリットの縁部などを利用しても良い。
【００３４】
更に、必要に応じて、横変位機構４５が、自重を利用して底板２２を上記中心位置へと横変位させる傾斜面部５１を備えるようにしても良い。この傾斜面部５１は、下側の昇降用腕部２４の下面に摺接配置されて、その上面に、外側へ進むに従い下り勾配となる傾斜面を有している。なお、この傾斜面部５１は、支持ブロック２５の下面に摺接配置させることができる。但し、この場合には、支持ブロック２５を、縦軸部４６に沿って昇降可能に取付けるようにする必要がある。傾斜面部５１は、カップホルダ本体４の底面部分に設けるようにする。或いは、傾斜面部５１は、カップホルダ本体４の底面に形成された開口部またはスリットの縁部などに設けても良い。傾斜面部５１は、カップホルダ本体４と別体に構成することもできるが、カップホルダ本体４に一体形成するのが好ましい。
【００３５】
或いは、図１２〜図１６に示すように、横変位機構４５が、付勢力を利用して底板２２を上記中心位置へと横変位させる付勢部材５５を備えるようにしても良い。この付勢部材５５には、例えば、そのコイル部を縦軸部４６に外嵌され、その両端部をそれぞれカップホルダ本体４と支持ブロック２５とに対して係止されたトーションスプリングなどを用いる。
【００３６】
なお、図１６に示すように、傾斜面部５１と付勢部材５５とは、同時に備えるようにすることも可能である。
【００３７】
そして、部分円弧状切欠部７を短い短円弧状切欠部４２としたことに伴い、その分だけ部分円弧状容器保持部１２を従来のものよりも長くする必要が生じるが、カップホルダ本体４を、狭幅形状の狭幅本体４１としているので、これに完全に収納されるようにするためには、部分円弧状容器保持部１２の長さには限度がある。即ち、部分円弧状容器保持部１２は、短円弧状切欠部４２とほぼ同程度の長さか、最大でも半円弧以下の半円弧以下容器保持部４４とするのが限度である。
【００３８】
そのため、部分円弧状切欠部７（短円弧状切欠部４２）と、部分円弧状容器保持部１２（半円弧以下容器保持部４４）とだけでは、上記円形状空間をカバー仕切れない状態が生じるので、更に、手前部分支持機構部６１を設けて、これをカバーし得るようにする。
【００３９】
この手前部分支持機構部６１は、カップホルダ本体４の先端側部から、側方へ向けて出入可能なものとする。この手前部分支持機構部６１は、少なくとも、円形状空間の残りの部分の少なくとも一部を構成して、飲料容器５の側部の残りの部分の少なくとも一部を部分的に保持可能なフロントバー部材６２を備えている。このフロントバー部材６２は、円形状空間に沿った円弧状のものなどとすることもできるが（例えば、実施例２参照）、この実施例の場合には、フロントバー部材６２は、カップホルダ本体４（狭幅本体４１）の幅寸法と同じかそれよりも若干短い長さ寸法を有して、カップホルダ本体４の幅方向（この場合には車幅方向）へ延びる直線状フロントバー（この場合には角型の棒状部材となっている）などとされている。このフロントバー部材６２は、特に図示しない付勢部材によって突出方向へ向け常時付勢されている。また、フロントバー部材６２には、図２に示すように、サイドバー部材１４の手前側端部によって収納方向へ押込み操作される突起部６４が設けられている。サイドバー部材１４の手前側端部の下面側にも、この突起部６４と対応する突起部６５が設けられる。これらの突起部６４、突起部６５などによって、サイドバー部材１４の動きによりフロントバー部材６２を連動して出入させる連動機構が構成される。このフロントバー部材６２は、可動フラップ部材３２と同じ高さレベルに設けられる。
【００４０】
次に、この実施例の作用について説明する。
【００４１】
引出式のカップホルダ装置１を使用しない場合には、図１に示すように、車体２（内装パネル）の内側にカップホルダ本体４を収納しておく。
【００４２】
この際、側部支持機構部１１（サイドバー部材１４など）、底部支持機構部２１（底板２２など）、可動フラップ機構３１（可動フラップ部材３２など）、手前部分支持機構部６１（フロントバー部材６２など）などは、カップホルダ本体４の内部に収納された状態とされる。
【００４３】
引出式のカップホルダ装置１を使用する場合には、図２（突出途中）、図３（突出完了後）に順に示すように、車体２の内側から車室内へとカップホルダ本体４を突出させる。この場合には、カップホルダ本体４を手動で手前に引出すようにする。
【００４４】
この際、側部支持機構部１１（サイドバー部材１４など）が、カップホルダ本体４に対して側方（この場合には、車幅方向）へ拡張されるようにする。このサイドバー部材１４の拡張動作は、手動操作としても良いが、この場合には、カップホルダ本体４の突出によりサイドバー部材１４が解放されることで、付勢部材１８の付勢力が機能して自動的に行われるので、煩わしさがない。
【００４５】
また、底部支持機構部２１（底板２２など）が、カップホルダ本体４に対して下側に下降されるようにする。この底板２２の下降は、手動操作としても良いが、この場合には、カップホルダ本体４の突出により底板２２が解放されることで、自重により自動的に行われるので、煩わしさがない。
【００４６】
そして、可動フラップ機構３１（可動フラップ部材３２など）が、ほぼ水平状態となるようにする。この可動フラップ部材３２は、付勢部材によって常時上方へ付勢されているため、通常は水平状態となっている。
【００４７】
更に、手前部分支持機構部６１（フロントバー部材６２など）が、側方へ突出されるようにする。このフロントバー部材６２の突出動作は、手動操作としても良いが、この場合には、サイドバー部材１４の拡張動作に伴ってフロントバー部材６２が解放されることにより、付勢部材の付勢力が機能して自動的に行われるので、煩わしさがない。
【００４８】
以上により、カップホルダ装置１は、飲料容器５を円形状空間へ上方から挿入して保持させ得る状態となる。
【００４９】
即ち、カップホルダ本体４の部分円弧状切欠部７と、サイドバー部材１４の部分円弧状容器保持部１２と、フロントバー部材６２とによってほぼ形成される円形状空間へ飲料容器５を上方から挿入することにより、これらで飲料容器５の側部を保持すると共に、底板２２で飲料容器５の底部を支持することができるようになる。更に、可動フラップ部材３２が円形状空間内で飲料容器５の側部に弾接されることにより、飲料容器５のガタ付きを抑制することができるようになる。
【００５０】
この底板２２の下降の際に、カップホルダ本体４に対して、横変位機構４５が機能し、底板２２を円形状空間の中心位置へと横変位させることにより、底板２２で飲料容器５の底部の中心位置を確実に支持することができるようになる、即ち、飲料容器５の底部を安定して保持することが可能となる。
【００５１】
この横変位機構４５による底板２２の横変位は、手動操作としても良いが、傾斜面部５１により、自重を利用して下降と同時に自動的に行わせるようにすることができる。或いは、図１２〜図１６に示すように、付勢部材５５の付勢力によって行わせることができる。更に、図１６に示すように、傾斜面部５１と付勢部材５５との両方によって行わせることもできる。
【００５２】
そして、引出式のカップホルダ装置１を使用しない場合などには、車体２（内装パネル）に対しカップホルダ本体４を収納させるようにする。この場合には、カップホルダ本体４を手動で奥へ押込めるようにする。
【００５３】
この際、側部支持機構部１１（サイドバー部材１４など）、底部支持機構部２１（底板２２など）、可動フラップ機構３１（可動フラップ部材３２など）、手前部分支持機構部６１（フロントバー部材６２など）などは、カップホルダ本体４の内部に収納させるようにするが、この収納操作は、付勢部材５５や自重に抗して手動操作で行わせるようにしても良い。或いは、インストルメントパネルやその他の内装パネルのカップホルダ本体４を収容する開口部や、この開口部の周辺に設けた特に図示しないガイドなどに倣わせて自動的に収納させるようにすることもできる。この場合には、上記した各部材の対応する位置に、上記ガイドに倣う被ガイド部を形成しておくのが好ましい。
【００５４】
このように、この実施例によれば、カップホルダ本体４を、狭幅形状にすると共に、部分円弧状容器保持部１２を、中心角が１８０度程度以下の短円弧形状とし、底部支持機構部２１を、下降時に、底板２２を円形状空間の中心位置へと横変位可能な横変位機構４５を介して、カップホルダ本体４に取付けたことにより、飲料容器５に対する保持性能を損なわずに、カップホルダ本体４の幅寸法をこれまでの限界を越えて極く小さなものとすることが可能となる。これにより、引出式のカップホルダ装置１の設置場所に対する制限をなくして、設計上の制約を取払うことが可能となる。即ち、これまで設置することができなかったような狭小な箇所に対しても、引出式のカップホルダ装置１を設けることが可能となり、デッドスペースを有効利用することが可能となる。
【００５５】
また、横変位機構４５が、自重を利用して底板２２を横変位させる傾斜面部５１を備えたことにより、下降時に、自重を利用して底板２２を傾斜面部５１に沿い自動的に横変位させることができる。
【００５６】
更に、横変位機構４５が、付勢力を利用して底板２２を横変位させる付勢部材５５を備えたことにより、下降時に、付勢部材５５の付勢力を利用して底板２２を自動的に横変位させることができる。
【００５７】
なお、傾斜面部５１と付勢部材５５とは、同時に備えることにより、両方の作用効果を得ることができる。
【００５８】
そして、カップホルダ本体４の先端側部から側方へ向けて出入可能な手前部分支持機構部６１を設けると共に、手前部分支持機構部６１が、カップホルダ本体４に対して円形状空間の残りの部分の少なくとも一部を構成して、飲料容器５の側部の残りの部分の少なくとも一部を部分的に保持可能なフロントバー部材６２を備えることにより、円形状空間の手前側の開いた部分をフロントバー部材６２でカバーすることができるようになるので、飲料容器５の側部に対する保持の安定性を向上することが可能となる、また、フロントバー部材６２によって、指先衝突などによる飲料容器５の落下を防止することが可能となる。
【実施例２】
【００５９】
図１７〜図３７は、この発明の他の実施例を示すものである。ここで、図１７〜図２３は斜視図、図２４〜図３０は平面図、図３１〜図３７は側面図である。
【００６０】
なお、上記実施例にて既に説明した構成については、重複を避けるために説明を省略するものとし、必要な場合には、上記実施例の記載を以て、この実施例の記載とすることができる。この際、上記実施例と同一の符号を付してある構成については、同一または均等なものとして取扱うものとする。
【００６１】
まず、構成について、主に図１７〜図２３を用いて説明する（特に図１７と図２２参照）。なお、図２４〜図３０（平面図）、図３１〜図３７（側面図）も、必要に応じて参照のこと。
【００６２】
この実施例では、特に、カップホルダ本体４と側部支持機構部１１とを補助する手前部分支持機構部６１を、以下のようなものとしている。
【００６３】
手前部分支持機構部６１が、カップホルダ本体４の先端側部から側方へ向けて出入可能なものであると共に、カップホルダ本体４に対して円形状空間の残りの部分の少なくとも一部を構成して、飲料容器５の側部の残りの部分の少なくとも一部を部分的に保持可能なフロントバー部材６２を備えている点については、上記実施例のものと同じである。
【００６４】
この実施例では、フロントバー部材６２を、円形状空間に沿ったほぼ円弧状の部分を有する曲線状フロントバー７１に変更している。このフロントバー部材６２は、カップホルダ本体４に対して側方（この場合には、車幅方向）へ拡縮動なものとされる。
【００６５】
このフロントバー部材６２は、カップホルダ本体４の先端側部に対して、完全に収納された状態から側方へ出入可能に構成される。そのために、カップホルダ本体４の先端部は、フロントバー部材６２を収納可能な中空形状とされると共に、カップホルダ本体４の先端部における部分円弧状切欠部７側の側面には、フロントバー部材６２が側方へ出入りするための開口部またはスリット部などが形成される。或いは、カップホルダ本体４を、部分円弧状切欠部７側に開いたコ字断面などとする。このフロントバー部材６２は、サイドバー部材１４と同じ高さレベルに設けられる。
【００６６】
そして、フロントバー部材６２は、一端側（奥側）に円形状空間に沿った部分円弧状容器手前側保持部７２を有し、他端側（手前側）に支持腕部７３を有している。このうち、部分円弧状容器手前側保持部７２は、上記円形状空間の残りの部分の一部またはほぼ全部を構成して、飲料容器５の側部の残りの部分の一部またはほぼ全部を保持可能な部分円弧状を呈している。なお、円形状空間の残りの部分とは、部分円弧状切欠部７（短円弧状切欠部４２）と、部分円弧状容器保持部１２（半円弧以下容器保持部４４）とだけではカバー仕切れない、上記円形状空間の欠損部分のことである。支持腕部７３は、部分円弧状容器保持部１２をカップホルダ本体４の先端側部に対して取付けるための取付用延長部分である。この支持腕部７３は、その他端側が支軸７４を介してカップホルダ本体４に対し回動可能に軸支されている。そして、この支軸７４を中心とする回動を行うことにより、カップホルダ本体４の側方へ出入可能となるように構成されている。支軸７４は、ほぼ上下方向に延設されて、支持腕部７３の手前側の端部を回動可能に貫通すると共に、その上下端部がカップホルダ本体４の上下面間に支持されている。
【００６７】
また、カップホルダ本体４とフロントバー部材６２との間には、フロントバー部材６２をカップホルダ本体４から出る方向へ付勢する付勢部材７５が介装されるようにしても良い。この付勢部材７５には、例えば、そのコイル部を支軸７４に外嵌され、その両端部をそれぞれカップホルダ本体４とフロントバー部材６２とに対して係止されたトーションスプリングなどが用いられる。
【００６８】
加えて、側部支持機構部１１のサイドバー部材１４と、手前部分支持機構部６１のフロントバー部材６２とを、連結部材７７を用いて連結する。即ち、サイドバー部材１４の手前側端部と、フロントバー部材６２の一端部との間を、連結部材７７で連結することにより、カップホルダ本体４との間で、上記円形状空間を環状に取囲む、ほぼ閉ループ状に連続した側部保持部を構成し得るようにする。
【００６９】
この際、収納時と使用時とでは、サイドバー部材１４の手前側端部と、フロントバー部材６２の一端部との間の間隔が変化するので、この間隔の変化に対応し得るようにするための間隔調整機構を設けるようにする。この間隔調整機構として、サイドバー部材１４の手前側端部と連結部材７７の対応する端部との間の連結部７８、または、フロントバー部材６２の一端部と連結部材７７の対応する端部との間の連結部７９のうちの少なくとも一方にスライド軸着部を設ける。この場合には、サイドバー部材１４側の連結部７８をスライド軸着部とし、フロントバー部材６２側の連結部７９を通常の軸着部（非スライド軸着部）としているが、これに限るものではない。
【００７０】
より具体的には、連結部材７７は、直線状、または、円形状空間とほぼ同一曲率の円弧状のものとする。そして、連結部材７７の両端部に、ほぼ上下方向へ延びる連結軸部８１，８２を一体に突設する。また、サイドバー部材１４の手前側端部と、フロントバー部材６２の一端部とを、それぞれ、上下に分岐して連結部材７７の対応する端部を挟着可能な二又状とする。そして、サイドバー部材１４の手前側端部と、フロントバー部材６２の一端部との二又状部分の上下に、それぞれ、連結部材７７の連結軸部８１，８２を収容および軸着可能な軸孔８３，８４を設ける。そして、この場合には、サイドバー部材１４側の軸孔８３をサイドバー部材１４の手前側部分に沿った円弧状の長孔８５とし、フロントバー部材６２側の軸孔８４を丸孔８６とする。
【００７１】
なお、フロントバー部材６２を円形状空間に沿った円弧状のものとし、サイドバー部材１４とフロントバー部材６２とを連結部材７７を用いて連結したことに伴い、上記実施例のものと比べて、サイドバー部材１４を若干短くすると共に、その分、フロントバー部材６２を長くして、両者のバランスを取るようにしている。この場合には、フロントバー部材６２の部分円弧状容器手前側保持部７２と連結部材７７とを足した長さが、サイドバー部材１４の部分円弧状容器保持部１２（半円弧以下容器保持部４４）とほぼ同程度の長さとなるように設定している（図２２参照）。
【００７２】
また、図１７に示すように、収納時の折畳状態では、サイドバー部材１４とフロントバー部材６２とが重複されることとなるが、この場合には、サイドバー部材１４が内側に位置され、フロントバー部材６２が外側に位置されるように構成している。
【００７３】
そして、カップホルダ本体４の突出時には、フロントバー部材６２の部分円弧状容器手前側保持部７２の外周を、インストルメントパネルやその他の内装パネルの開口部や、この開口部の周辺に設けた特に図示しないガイドなどに倣わせて自動的に拡張され得るように構成する。
【００７４】
反対に、カップホルダ本体４の収納時の前半には、サイドバー部材１４の奥側端部にガイド部８８（折畳用ガイド部）を設けて、このガイド部８８を上記開口部やガイドなどに倣わせて自動的に折畳ませ得るように構成すると共に、収納時の後半には、フロントバー部材６２の部分円弧状容器手前側保持部７２の外周を上記開口部やガイドなどに倣わせて自動的に折畳ませ得るよう構成にする。
【００７５】
この場合、サイドバー部材１４は、その奥側端部を広幅にして、強度確保部８９を形成すると共に、この強度確保部８９の外側面に上記ガイド部８８を形成するようにしている。このガイド部８８は、使用時に、手前側へ進むに従い外側へ拡がる傾斜面などとなるように構成されている。
【００７６】
次に、この実施例の作用について説明する。
【００７７】
この実施例では、カップホルダ本体４を、図１７〜図２２に順に示すように、収納状態から突出させると、付勢部材１８および付勢部材７５の付勢力により、フロントバー部材６２およびサイドバー部材１４が自動的に拡張される。この際、フロントバー部材６２の部分円弧状容器手前側保持部７２の外周が、インストルメントパネルやその他の内装パネルの開口部や、この開口部の周辺に設けた特に図示しないガイドなどに倣いつつ、フロントバー部材６２およびサイドバー部材１４は、拡張されて行く。なお、付勢部材１８および付勢部材７５を設けていない場合には、このフロントバー部材６２およびサイドバー部材１４の拡張動作は手動で行うことになる。
【００７８】
反対に、図２２〜図１７に順に示すように、カップホルダ本体４を突出状態から収納させると、付勢部材１８および付勢部材７５の付勢力に抗して、フロントバー部材６２およびサイドバー部材１４が自動的に折畳まれる。この際、カップホルダ本体４の収納時の前半にては、サイドバー部材１４の奥側端部に設けたガイド部８８が、上記開口部やガイドなどに倣いつつ、フロントバー部材６２およびサイドバー部材１４が折畳まれて行く。また、カップホルダ本体４の収納時の後半にては、フロントバー部材６２の部分円弧状容器手前側保持部７２の外周が、上記開口部やガイドなどに倣いつつ、フロントバー部材６２およびサイドバー部材１４が折畳まれて行く。なお、付勢部材１８および付勢部材７５を設けていない場合には、このフロントバー部材６２およびサイドバー部材１４の折畳動作は手動で行うことになる。
【００７９】
このように、この実施例によれば、フロントバー部材６２が、円形状空間に沿った部分円弧状容器手前側保持部７２を有すると共に、サイドバー部材１４とフロントバー部材６２とを連結部材７７を用いて連結したことにより、円形状空間を環状（閉ループ状）に取囲むようにすることができるようになるので、飲料容器５の側部に対する保持の安定性をより一層向上することが可能となると共に、指先衝突などによる飲料容器５の落下をより確実に防止することができる。
【００８０】
なお、上記以外の部分については、上記実施例と同様の構成を備えているため、同様の作用・効果を得ることができる。よって、記載を省略した部分についての詳細は、上記実施例の説明を以てこの実施例の説明とすることができる。
【００８１】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００８２】
【図１】本発明の実施例にかかるカップホルダ装置の収納状態における斜視図である。
【図２】図１の突出途中状態の斜視図である。
【図３】図１の突出完了状態の斜視図である。
【図４】飲料容器を保持した状態を示す図３と同様の斜視図である。
【図５】図４を異なる方向から見た斜視図である。
【図６】図１と同様の状態における平面図である。
【図７】図２と同様の状態における平面図である。
【図８】図３と同様の状態における平面図である。
【図９】図１と同様の状態における側面図である。
【図１０】図２と同様の状態における側面図である。
【図１１】図３と同様の状態における側面図である。
【図１２】本発明の変形例にかかる図１と同様の斜視図である。
【図１３】図１２の突出途中状態の斜視図である。
【図１４】図１２の突出完了状態の斜視図である。
【図１５】飲料容器を保持した状態を示す図１４と同様の斜視図である。
【図１６】図１５を異なる方向から見た斜視図である。
【図１７】本発明の実施例２にかかるカップホルダ装置の収納状態における斜視図である。
【図１８】図１７の突出途中状態の斜視図である。
【図１９】図１８に続く突出途中状態の斜視図である。
【図２０】図１９に続く突出途中状態の斜視図である。
【図２１】図２０に続く突出途中状態の斜視図である。
【図２２】図１７の突出完了状態の斜視図である。
【図２３】飲料容器を保持した状態を示す図２２と同様の斜視図である。
【図２４】図１７と同様の状態における平面図である。
【図２５】図２４の突出途中状態の平面図である。
【図２６】図２５に続く突出途中状態の平面図である。
【図２７】図２６に続く突出途中状態の平面図である。
【図２８】図２７に続く突出途中状態の平面図である。
【図２９】図２４の突出完了状態の平面図である。
【図３０】飲料容器を保持した状態を示す図２９と同様の平面図である。
【図３１】図１７と同様の状態における側面図である。
【図３２】図３１の突出途中状態の側面図である。
【図３３】図３２に続く突出途中状態の側面図である。
【図３４】図３３に続く突出途中状態の側面図である。
【図３５】図３４に続く突出途中状態の側面図である。
【図３６】図３１の突出完了状態の側面図である。
【図３７】飲料容器を保持した状態を示す図３６と同様の側面図である。
【符号の説明】
【００８３】
２    車体
４    カップホルダ本体
５    飲料容器
７    部分円弧状切欠部
１１  側部支持機構部
１２  部分円弧状容器保持部
２１  底部支持機構部
２２  底板
４５  横変位機構
５１  傾斜面部
５５  付勢部材
６１  手前部分支持機構部
６２  フロントバー部材
７２  部分円弧状容器手前側保持部
７７  連結部材
【図１】
2008143500.tif 000003
【図２】
2008143500.tif 000004
【図３】
2008143500.tif 000005
【図４】
2008143500.tif 000006
【図５】
2008143500.tif 000007
【図６】
2008143500.tif 000008
【図７】
2008143500.tif 000009
【図８】
2008143500.tif 000010
【図９】
2008143500.tif 000011
【図１０】
2008143500.tif 000012
【図１１】
2008143500.tif 000013
【図１２】
2008143500.tif 000014
【図１３】
2008143500.tif 000015
【図１４】
2008143500.tif 000016
【図１５】
2008143500.tif 000017
【図１６】
2008143500.tif 000018
【図１７】
2008143500.tif 000019
【図１８】
2008143500.tif 000020
【図１９】
2008143500.tif 000021
【図２０】
2008143500.tif 000022
【図２１】
2008143500.tif 000023
【図２２】
2008143500.tif 000024
【図２３】
2008143500.tif 000025
【図２４】
2008143500.tif 000026
【図２５】
2008143500.tif 000027
【図２６】
2008143500.tif 000028
【図２７】
2008143500.tif 000029
【図２８】
2008143500.tif 000030
【図２９】
2008143500.tif 000031
【図３０】
2008143500.tif 000032
【図３１】
2008143500.tif 000033
【図３２】
2008143500.tif 000034
【図３３】
2008143500.tif 000035
【図３４】
2008143500.tif 000036
【図３５】
2008143500.tif 000037
【図３６】
2008143500.tif 000038
【図３７】
2008143500.tif 000039